(57)【要約】【課題】薄型化・小型化を実現できるとともに、広い有効認証エリアを確保することが可能な静脈認証用撮像ユニット及び当該静脈認証用撮像ユニットを搭載した電子機器を提供すること。【解決手段】撮像ユニット１００は、赤外ＬＥＤからなる光源１と、ユーザの指を載置する光学窓２と、非球面ミラー３と、平面ミラー４及び５と、４枚のレンズからなるレンズ部６と、撮像素子７とで構成される。複数のミラーによる折り返し光学系とすることで、ユニット全体の薄型化及び小型化を実現するとともに、十分に広い認証エリアを確保して認証精度を高めることができる。また、４枚のレンズにより収差を良好に補正して結像性能を高め、認証精度を高めることができる。【選択図】図１
2008036226.tif 000002
【特許請求の範囲】
【請求項１】
赤外光を出射する光源と、
前記光源から出射されユーザの手の内部で反射して当該手の外部へ出射された赤外光の光路を変更する複数のミラーからなるミラー部と、前記ミラー部により光路を変更された赤外光を集光する複数のレンズからなるレンズ部とを有し、前記手に対して前記光源と同じ側に設けられた光学系と、
前記各レンズに集光された赤外光を静脈認証用の画像として撮像する撮像素子と
を具備することを特徴とする静脈認証用撮像ユニット。
【請求項２】
請求項１に記載の静脈認証用撮像ユニットであって、
前記ミラー部は、少なくとも一つの平面ミラーと、正のパワーを有する少なくとも一つの非球面ミラーとを有することを特徴とする静脈認証用撮像ユニット。
【請求項３】
請求項２に記載の静脈認証用撮像ユニットであって、
前記非球面ミラーは、コーニック定数を有し高次非球面係数を有さない非球面で形成されることを特徴とする静脈認証用撮像ユニット。
【請求項４】
請求項２に記載の静脈認証用撮像ユニットであって、
前記ミラー部は、
前記手の外部へ出射された赤外光を反射する第１の非球面ミラーと、
前記第１の非球面ミラーに反射した赤外光を反射する第１の平面ミラーと、
前記第１の平面ミラーに反射された赤外光を反射して前記各レンズへ導く第２の平面ミラーと
を有することを特徴とする静脈認証用撮像ユニット。
【請求項５】
請求項４に記載の静脈認証用撮像ユニットであって、
前記レンズ部は、
第１の径を有し前記第２の平面ミラーからの赤外光を集光する第１のレンズと、
前記第１の径よりも大きい第２の径を有し、前記第１のレンズよりも前記撮像素子側に設けられた第２のレンズと、
前記第２の径よりも大きい第３の径を有し、前記第２のレンズよりも前記撮像素子側に設けられた第３のレンズと、
前記第３の径よりも大きい第４の径を有し、前記第３のレンズよりも前記撮像素子側に設けられた第４のレンズとからなり、
前記光学系は、前記第２の平面ミラーと前記第１のレンズとの間に設けられた開口絞りを更に具備することを特徴とする静脈認証用撮像ユニット。
【請求項６】
請求項５に記載の静脈認証用撮像ユニットであって、
前記第１乃至第４のレンズは樹脂からなることを特徴とする静脈認証用撮像ユニット。
【請求項７】
請求項１に記載の静脈認証用撮像ユニットであって、
前記光源は、前記手から出射される赤外光のうち、前記撮像素子において像高が高い位置に結像される赤外光ほど当該光源との距離が小さくなるように、前記ミラー部に対して前記レンズ部とは反対側に設けられることを特徴とする静脈認証用撮像ユニット。
【請求項８】
請求項１に記載の静脈認証用撮像ユニットであって、
上面及び下面を有し、当該上面に前記手を載置することが可能であり、前記光源から出射された光を前記下面側から前記上面側へ透過させ、前記手から外部へ出射された赤外光を前記各ミラーへ導くために前記上面側から前記下面側へ透過させることが可能な板状部材を更に具備することを特徴とする静脈認証用撮像ユニット。
【請求項９】
請求項８に記載の静脈認証用撮像ユニットであって、
前記板状部材は、前記赤外光を選択的に透過する赤外透過フィルターを有することを特徴とする静脈認証用撮像ユニット。
【請求項１０】
請求項１に記載の静脈認証用撮像ユニットであって、
前記各ミラーは、前記赤外光を選択的に反射する誘電体膜を有することを特徴とする静脈認証用撮像ユニット。
【請求項１１】
赤外光を出射する光源と、前記光源から出射されユーザの手の内部で反射して当該手の外部へ出射された赤外光の光路を変更する複数のミラーからなるミラー部と、前記ミラー部により光路を変更された赤外光を集光する複数のレンズからなるレンズ部とを有し、前記手に対して前記光源と同じ側に設けられた光学系と、前記各レンズに集光された赤外光を静脈認証用の画像として撮像する撮像素子とを有する静脈認証用撮像ユニットと、
前記撮像された画像を基に前記ユーザの認証を行う制御部と、
前記静脈認証用撮像ユニット及び前記制御部を収容する筐体と
を具備することを特徴とする電子機器。
【発明の詳細な説明】
【技術分野】
【０００１】
本発明は、例えばノート型ＰＣ（Personal Computer）等の電子機器に搭載される、静脈認証用の撮像ユニット及び当該静脈認証用撮像ユニットを搭載した電子機器に関する。
【背景技術】
【０００２】
近年、バイオメトリクス認証方式の一つとして、ユーザの指や手のひらの静脈パターンにより認証を行う静脈認証が注目されている。当該静脈認証においては、血液中のヘモグロビンが赤外光を吸収するという特徴を利用して、光源から指や手のひらへ赤外光を照射し、レンズやイメージセンサからなる撮像部により指や手のひらを撮像することで、指の静脈部分だけが影となった静脈パターンを捉えることができる。そしてこのパターンを画像処理し、予め記憶していた認証用パターンと照合することで、登録ユーザか否かを判定することで、認証を行うことができる。
【０００３】
ここで、静脈パターンを撮像するにあたっては、赤外光を指や手のひらの背面から照射して、その透過光を撮像する透過方式と、赤外光を指や手のひらに対して撮像部と同じ方向から照射して、その反射光を撮像する反射方式の２つの方式がある。下記特許文献１には、透過方式により静脈認証が可能な個人認証装置が開示されており、下記特許文献２には、反射方式により静脈認証が可能な認証装置及び携帯端末が開示されている。
【０００４】
透過方式は、指や手のひらを光源と撮像部との間に挟みこむようにして配置する必要があるため、例えばノート型ＰＣ（Personal Computer）や携帯電話機等の携帯型の電子機器に静脈認証用の撮像ユニットを搭載しようとすると、機器が大型化してしまう。一方、反射方式においては、光源と撮像部とを同じ側に一体配置できるため、薄型化や小型化が望まれる電子機器に搭載するのに適している。
【特許文献１】特開２００４−２６５２６９号公報（図１等）
【特許文献２】特開２００６−１１７１１号公報（図４等）
【発明の開示】
【発明が解決しようとする課題】
【０００５】
しかしながら、上記ノート型ＰＣや携帯電話機等の電子機器において、薄型化の要望は尽きることはなく、そのような電子機器に搭載される静脈認証用の撮像ユニットを更に薄型化しようとすると、撮像部と指や手のひらとの距離が短くなってしまう。これにより、撮像される指や手のひらに対して十分な有効認証エリアを確保することができなくなるばかりか、撮像ユニットの光学系が屈折系のみの場合、極端に短い光学焦点距離設計となってしまい、歪曲の増加、撮像部の周辺光量の低下、明るさ（Ｆナンバー）の低下が著しい。
【０００６】
また、光学性能を確保しようとすると、撮像部に用いるレンズ枚数も増えてしまい、結局撮像ユニットの薄型化に繋がらないというジレンマが生じる。またレンズ枚数を増やすことで、コストも増加してしまう。
【０００７】
このような事情から、特に上記のような屈折系のみでの撮像ユニットの薄型化・画角のワイド化は、有効認証エリアの削減によって実現されてきた。しかし、有効認証エリアの削減は認証精度を下げる要因にも繋がるため、避けることが望ましい。
【０００８】
以上のような事情に鑑み、本発明の目的は、薄型化・小型化を実現できるとともに、広い有効認証エリアを確保することが可能な静脈認証用撮像ユニット及び当該静脈認証用撮像ユニットを搭載した電子機器を提供することにある。
【課題を解決するための手段】
【０００９】
上述の課題を解決するため、本発明の主たる観点に係る静脈認証用撮像ユニットは、赤外光を出射する光源と、前記光源から出射されユーザの手の内部で反射して当該手の外部へ出射された赤外光の光路を変更する複数のミラーからなるミラー部と、前記ミラー部により光路を変更された赤外光を集光する複数のレンズからなるレンズ部とを有し、前記手に対して前記光源と同じ側に設けられた光学系と、前記各レンズに集光された赤外光を静脈認証用の画像として撮像する撮像素子とを具備する。
【００１０】
ここで光源は、例えば赤外ＬＥＤ（Light-Emitting Diode）であり、赤外光とは例えば６００ｎｍ〜９８０ｎｍ、好ましくは８８０ｎｍの波長の光をいう。またユーザの手とは、例えば指や手のひらをいう。
【００１１】
この構成により、上記光学系をいわゆる折り曲げ光学系とすることで、ユニット全体の薄型化及び小型化を実現できるとともに、光学焦点距離を稼いで、十分に広い認証エリアを確保でき、高い認証精度を実現することができる。
【００１２】
上記静脈認証用撮像ユニットにおいて、前記ミラー部は、少なくとも一つの平面ミラーと、正のパワーを有する少なくとも一つの非球面ミラーとを有していてもよい。
【００１３】
これにより、非球面ミラーを用いることで画角を広げてより広い認証エリアを確保できるとともに、結像性能を向上させて認証精度を高めることもできる。また、非球面ミラーにパワーを持たせて平面ミラーにパワーを持たせないことで、ユニット全体の薄型化及び小型化を実現することができる。
【００１４】
上記静脈認証用撮像ユニットにおいて、前記非球面ミラーは、コーニック定数を有し高次非球面係数を有さない非球面で形成されていても構わない。
【００１５】
これにより、非球面ミラーの非球面形状を、高次非球面係数を用いないシンプルな非球面（例えば楕円面、放物面、双曲面）とすることで、偏芯による性能低下の影響を少なくすることができる。
【００１６】
上記静脈認証用撮像ユニットにおいて、前記ミラー部は、前記手の外部へ出射された赤外光を反射する第１の非球面ミラーと、前記第１の非球面ミラーに反射した赤外光を反射する第１の平面ミラーと、前記第１の平面ミラーに反射された赤外光を反射して前記各レンズへ導く第２の平面ミラーとを有していてもよい。
【００１７】
これにより、第１の非球面ミラーにパワーを持たせて広い認証エリアを実現するとともに、第１及び第２の平面ミラーにより光学距離を稼いで認証精度を高めることができる。
【００１８】
上記静脈認証用撮像ユニットにおいて、前記レンズ部は、第１の径を有し前記第２の平面ミラーからの赤外光を集光する第１のレンズと、前記第１の径よりも大きい第２の径を有し、前記第１のレンズよりも前記撮像素子側に設けられた第２のレンズと、前記第２の径よりも大きい第３の径を有し、前記第２のレンズよりも前記撮像素子側に設けられた第３のレンズと、前記第３の径よりも大きい第４の径を有し、前記第３のレンズよりも前記撮像素子側に設けられた第４のレンズとからなり、前記光学系は、前記第２の平面ミラーと前記第１のレンズとの間に設けられた開口絞りを更に具備していてもよい。
【００１９】
これにより、４枚という少ない数のレンズを用いることで、撮像ユニットの薄型化及び小型化を実現できるとともに、コスト増加を防ぐことができる。またいわゆる前絞り構成として第１のレンズの径を小さくすることで、第１のレンズが第２の平面ミラーと干渉することを防ぐことができるため、これによっても撮像ユニット全体の更なる薄型化及び小型化を実現することができる。
【００２０】
ここで、前記第１乃至第４のレンズは樹脂からなっていてもよい。
【００２１】
これにより、各レンズをガラス製にする場合に比べてコストダウンを図ることができる。また、各レンズが集光する光は波長が例えば６００ｎｍ〜９８０ｎｍの近赤外光であり、短波長でもないため、樹脂レンズによる光の吸収を気にする必要もなくなる。
【００２２】
上記静脈認証用撮像ユニットにおいて、前記光源は、前記手から出射される赤外光のうち、前記撮像素子において像高が高い位置に結像される赤外光ほど当該光源との距離が小さくなるように、前記ミラー部に対して前記レンズ部とは反対側に設けられていても構わない。
【００２３】
これにより、各レンズから撮像素子へ導かれる光のうち、像高が高い位置の光、すなわち各レンズの周辺部分に集光されて暗くなってしまう光ほど光源により多く照らされることとなるため、撮像画像の明るさを中心部から周辺域にかけて均一化することができ、より精度の高い認証を行うことができる。
【００２４】
上記静脈認証用撮像ユニットは、上面及び下面を有し、当該上面に前記手を載置することが可能であり、前記光源から出射された光を前記下面側から前記上面側へ透過させ、前記手から外部へ出射された赤外光を前記各ミラーへ導くために前記上面側から前記下面側へ透過させることが可能な板状部材を更に具備していてもよい。
【００２５】
これにより、板状部材に手を載置することで手の位置が決まるため、手の位置ずれを防止して精度の高い認証を行うことができる。
【００２６】
ここで、前記板状部材は、前記赤外光を選択的に透過する赤外透過フィルターを有していても構わない。
【００２７】
これにより、赤外光以外の光成分により撮像画像にノイズ等の悪影響が及ぶことを防ぐことができ、認証精度を高めることができる。
【００２８】
上記静脈認証用撮像ユニットにおいて、前記各ミラーは、前記赤外光を選択的に反射する誘電体膜を有していてもよい。
【００２９】
これにより、赤外光以外の光成分により撮像画像にノイズ等の悪影響が及びことを防ぐことができ、認証精度を高めることができる。
【００３０】
本発明の他の観点に係る電子機器は、赤外光を出射する光源と、前記光源から出射されユーザの手の内部で反射して当該手の外部へ出射された赤外光の光路を変更する複数のミラーからなるミラー部と、前記ミラー部により光路を変更された赤外光を集光する複数のレンズからなるレンズ部とを有し、前記手に対して前記光源と同じ側に設けられた光学系と、前記各レンズに集光された赤外光を静脈認証用の画像として撮像する撮像素子とを有する静脈認証用撮像ユニットと、前記撮像された画像を基に前記ユーザの認証を行う制御部と、前記静脈認証用撮像ユニット及び前記制御部を収容する筐体とを具備する。
【００３１】
ここで電子機器とは、例えばノート型ＰＣや携帯電話機等のモバイル機器である。これにより、複数のミラーを用いることで静脈認証用撮像ユニットを小型化及び薄型化し、電子機器の薄型化を実現することができる。それとともに、光学焦点距離を稼いで、十分に広い認証エリアを確保でき、高い認証精度を実現することができる。
【発明の効果】
【００３２】
以上のように、本発明によれば、薄型化・小型化を実現できるとともに、広い有効認証エリアを確保することができる。
【発明を実施するための最良の形態】
【００３３】
以下、本発明の実施の形態を図面に基づき説明する。  
図１は、本発明の一実施形態における静脈認証用の撮像ユニット１００の構成を示す略式断面図である。同図に示すように、撮像ユニット１００は、光源１、光学窓２、非球面ミラー３、平面ミラー４及び５からなるミラー部、レンズ部６及び撮像素子７を有する。
【００３４】
光源１は、例えば当該撮像ユニット１００が搭載される電子機器の筐体２０２内の底面に設けられている。光源１は、例えば赤外ＬＥＤ（Light Emitting Diode）でなり、例えば約８８０ｎｍ近辺の波長の近赤外光を照射することが可能となっている。
【００３５】
光学窓２は、筐体２０２に形成された開口部に、筐体２０２の上面の一部をなすように設けられている。この光学窓２は例えばガラス製または樹脂製の透明な板状部材であり、上面２ａ及び下面２ｂを有する。上面２ａにはユーザの指５０を載置可能である。光学窓２の幅ｗは例えば２７ｍｍ、奥行き（図示せず）は例えば３６ｍｍである。指は、指の腹部の面が光学窓２の上面２ａと略平行な状態で接触し、かつ、光学窓２の奥行き方向と指の長手方向とが平行となるように載置される。光学窓２の上面２aに指を乗せさせて認証を行うことで、指の設置位置の精度を高くとることができ、また、外乱光が撮像ユニット１００内に入射するのを防ぐこともできる。これにより認証精度を高めることができる。
【００３６】
光源１から出射された赤外光は、光学窓２の下面２ｂから上面２ａ方向へ透過し、上面２ａに載置された指５０内部へ入射する。指５０の内部に入射した赤外光は、指５０の内部で散乱または反射し、光学窓２を透過して非球面ミラー３、平面ミラー４及び５で光路変更されて、レンズ部６へ入射し、撮像素子７に結像される。撮像素子７は、例えばＣＯＭＳ（Complementary Metal Oxide Semiconductor）やＣＣＤ（Charge Coupled Devices）である。指５０の内部の静脈５１は赤外光を吸収するため、撮像素子７は、静脈部分が影となった指５０の画像を静脈パターン画像として得ることができる。電子機器の制御部は、当該静脈パターンと、予め記憶装置に保存してある認証用の画像との間のパターンマッチング処理等により、ユーザ認証を行う。
【００３７】
非球面ミラー３は、第１ミラーとして機能し、上記光学窓２側に凸面を向けるように筐体２０２の底面に設けられている。当該非球面ミラー３の非球面は、偏芯による性能低下の影響を少なくするため、高次非球面係数を使用せず、コーニック定数（円錐定数）のみを使用して形成されたものである。本実施形態において、非球面はコーニック定数が例えば約５．２８の楕円面であるが、これに限られるものではなく、放物面や双曲面であってもよい。また、非球面ではなく球面であっても構わない。非球面ミラーの寸法公差は、例えば厚み公差が±０．１ｍｍ、チルト（傾き）公差が±０．２度、偏芯公差が±０．０３ｍｍであるが、この範囲に限られるものではない。
【００３８】
平面ミラー４は、第２ミラーとして機能し、上記筐体２０２内の上面に光学窓２に隣接して、光学窓２と略平行に設けられている。平面ミラー５は、第３ミラーとして機能し、平面ミラー４と非球面ミラー３との間に、例えば２０〜２５度程度傾いて設けられる。
【００３９】
ミラー部の各ミラーには、例えばアルミニウムや銀等の金属反射膜が施してある。このミラー部においては、平面ミラー４及び５にはパワーを持たせず、非球面ミラー３にのみ大きなパワーを持たせることで、撮像ユニット１００全体の小型化及び薄型化に大きく寄与する構成となっている。もちろん、平面ミラー４及び５を球面ミラーまたは非球面ミラーとしてパワーを持たせてもよいが、そうすると光学系の偏芯の影響が大きくなるため、平面ミラーとすることが好ましい。このように、３枚のミラーで構成された折り返し光学系とすることで、十分な光学距離を稼ぎながらも、各ミラーを適切に配置して、赤外光が干渉するのを防いでいる。また、非球面ミラー３と平面ミラー４との距離ｈは例えば９ｍｍであり、撮像ユニット１００を例えば厚さ１０ｍｍ程度の薄型化の電子機器に搭載することが可能となっている。
【００４０】
レンズ部６及び撮像素子７は、水平方向に対して光軸を例えば４５度程度傾けて設けられている。
【００４１】
なお、撮像ユニット１００全体における寸法公差は、例えば厚み公差が±０．１ｍｍ、チルト公差が±０．２度、偏芯公差が±０．０５ｍｍであるが、この範囲に限られるものではない。
【００４２】
図２は、レンズ部６及び撮像素子７の詳細を示した断面図である。
【００４３】
同図に示すように、レンズ部６は、指側から順に、第１レンズ２１、第２レンズ２２、第３レンズ２３及び第４レンズ２４の４枚のレンズが互いの光軸を一致させた状態で構成されている。各レンズの径は、結像側に行くにしたがって大きくなるように設計されている。レンズ部６を３枚のレンズで構成することもできるが、４枚とした方が結像性能が高くなる。このレンズ部６においては、第１レンズ２１の前に絞り２６を有する前絞り構成としたことで、第１レンズ２１の径を小さくすることが可能となる。これにより、レンズ部６が平面ミラー５と干渉することなく撮像ユニット１００全体を小型化することが可能となる。
【００４４】
レンズ部６の各レンズは例えば全て樹脂製の非球面レンズであり、当該レンズ部６において、上記非球面ミラー３による画角のワイド化に伴う収差が補正される。レンズ部６に集光される光は上記光源１から出射される赤外光であり、色収差を問題とすることがないため、各レンズに低分散ガラスのようなガラスを用いる必要はない。また、当該赤外光は短波長でもないため、各レンズを樹脂製としても、樹脂による吸収が問題となることもない。したがって、撮像ユニット１００の光学系は、超ワイド化した光学系であるにもかかわらず、撮像素子７に結像される静脈パターン画像は、周辺域までシャープなものにすることができ、コントラスト低下をほとんどなくすことができる。
【００４５】
第１レンズ２１は、結像機能を持たせるために正のパワーを有する非球面両凸レンズとし、材質には例えばオレフィン系樹脂を使用して寸法変化を極力少なくしている。オレフィン系樹脂は、吸湿による寸法変化も少なく抑えられるため、比較的公差が厳しい第１レンズ２１の材質としては最適である。第１レンズ２１の寸法公差は、例えば厚み公差が±０．０１ｍｍ、チルト公差が±０．１度、偏芯公差が±０．００５ｍｍであるが、この範囲に限られるものではない。
【００４６】
第２レンズ２２は、収差補正機能を持たせるために負のパワーを有する非球面凹メニスカスレンズとし、材質には例えばポリカーボネート樹脂が用いられる。第２レンズ２２の寸法公差は、例えば厚み公差が±０．０１ｍｍ、チルト公差が±０．２度、偏芯公差が±０．０１ｍｍであるが、この範囲に限られるものではない。
【００４７】
第３レンズ２３は、結像機能を持たせるために正のパワーを有する非球面両凸レンズとし、材質にはたとえばポリカーボネート樹脂が用いられる。第３レンズ２３の寸法公差は、例えば厚み公差が±０．０２ｍｍ、チルト公差が±０．２度、偏芯公差が±０．０１ｍｍであるが、この範囲に限られるものではない。
【００４８】
第４レンズ２４は、収差補正機能を持たせるために負のパワーを有する非球面凹メニスカスレンズとしている。第４レンズ２４は、収差補正機能としての役割が大きいため、他のレンズに比べて非球面量が大きくなっている。第４レンズ２４は、特に高い屈折率を必要としないが、寸法精度が要求されるため、第４レンズ２４の材質には例えばオレフィン系樹脂が用いられる。
【００４９】
第４レンズ２４と撮像素子７との間には、撮像素子７の撮像面を保護するためのカバーガラス２５が設けられている。各レンズ及びカバーガラス２５を透過した赤外光は、撮像素子７上の有効領域７ａに静脈パターンとして結像される。
【００５０】
図３は、本実施形態における撮像ユニット１００の光学的解像度を示した図である。同図においては、撮像素子７の有効領域７ａにおいて、像高が-0.7375mm（像高２５％）、-0.7614mm（像高約２６％）、-1.1475mm（像高約３９％）、-1.4750mm（像高５０％）、-1.8374mm（像高約６２％）、-2.2457mm（像高約７６％）、-2.4485mm（像高８３％）、-2.5665mm（像高８７％）、-2.6550mm（像高９０％）、-2.8910mm（像高９８％）-2.9500mm（像高１００％）の各位置におけるサジタル像面（実線Ｓ）及びタンジェンシャル像面（実線Ｔ）のＭＴＦ（Modulation Transfer Function）特性を示している。横軸に空間周波数、縦軸にＭＴＦ値をとっている。
【００５１】
同図に示すように、撮像素子７の有効領域７ａの周辺部においても、空間周波数４０本でＭＴＦ値５０％以上を確保しており、撮像ユニット１００が高解像度に対応できることが示されている。
【００５２】
図４は、本実施形態におけるレンズ部６の諸収差特性を示した図である。同図（ａ）は、レンズ部６に入射した、波長λ１（0.850μm）、波長λ２（0.865μm）、波長λ３（0.880μm）、波長λ４（0.895μm）、波長λ５（0.910μm）の各赤外光におけるサジタル像面（実線Ｓ）及びタンジェンシャル像面（破線Ｔ）の各像面湾曲及び非点収差を示している。また、同図（ｂ）は、レンズ部６に入射した上記波長λ１の赤外光の歪曲収差を示している。両図において縦軸は像高（−Ｙ）である。
【００５３】
同図（ａ）に示すように、各波長域において、レンズ部６における収差は一様となっており、像高約７０％近辺の位置において非点収差がやや大きくなっているが、像高約８０％〜９０％の位置において再び非点収差を補正していることが分かる。また同図（ｂ）に示すように、歪曲収差は±３％以内に収まっており、超広角設計のレンズにも関わらず、極めて低い歪曲収差値を実現していることが分かる。
【００５４】
図５は、本実施形態における撮像ユニット１００における像高とＭＴＦ値との関係を示した図である。同図においては、横軸に像高、縦軸にＭＴＦ値がとられ、空間周波数を１５本／ｍｍ、３０本／ｍｍ、４５本／ｍｍ、５０本／ｍｍとした場合それぞれにおいて、サジタル像面（実線Ｓ１〜Ｓ４）及びタンジェンシャル像面（破線Ｔ１〜Ｔ４）の各ＭＴＦ値を示している。
【００５５】
同図に示すように、撮像素子７の有効領域７ａの周辺部における解像度の落ち込みがほとんどなく、また像高中間域における解像度の落ち込みもないことが分かる。
【００５６】
次に、上記光源１の設置位置について説明する。図６は、本実施形態における光源１の設置位置と、レンズ部６の光量及び光源１の光量との関係を示した図である。
【００５７】
同図（ｂ）のグラフでは、横軸に像高、縦軸にレンズ部６及び光源１の相対照度をとっている。このグラフに示すように、レンズ部６の光量は、像高が高くなるにしたがって減少していき、像高約−２．１５ｍｍ（約７３％）の辺りで最小値（ＦＮｏ＝７．８）となり、像高−２．６５ｍｍ（約９０％）の辺りにかけてやや上昇するが、像高−２．９５ｍｍ（１００％）においては再び上記最小値と略同一となる。なお、本実施形態においては、撮像素子７のうち、像高約−０．７６ｍｍから約−２．８９１ｍｍまでの部分を上記有効領域７ａとして利用している。したがって、この有効領域７ａに結像される赤外光の照度の最大値はＦＮｏ＝４．４である。
【００５８】
一方、光源１の光量は、像高に比例して大きくなっている。すなわち、本実施形態においては、光学窓２からの透過光のうち、撮像素子７の有効領域７ａにおける像高が高い部分に結像される赤外光ほど光源１との距離が小さくなるように光源１が設けられている。
【００５９】
この光源１の光量は、同図（ａ）の撮像ユニット１００の構成図に示すように、光源１を、光学窓２の、平面ミラー４とは逆の端部に略垂直な位置に設けた場合に対応している（光源１ａ）。この光源１ａの位置を基準として、光源１は、同図（ｂ）に示したレンズ部６の光量が上記最小値となる、像高約−２．１５ｍｍの位置に結像される赤外光に最も近くなるような位置、すなわち、同図（ａ）において、光源１ａからレンズ部６方向に約１５ｍｍ離れた位置（光源１ｂ）までの範囲内に設けられる。
【００６０】
このように、光源１を、レンズ部６の光量が小さくなる部分を光源１が照らすように設けることで、レンズ部６の光量を補完して、明るさを均一化することができる。
【００６１】
図７は、レンズ部６の有効像円と撮像素子７との位置関係、及び指の視野範囲を示した図である。同図に示すように、レンズ部の有効像円径は例えば５．９ｍｍであり、当該有効像円のうち、その中心とは中心を異にする一部の矩形領域が撮像素子７の有効領域７ａとして用いられる。有効領域７ａの大きさは、例えば縦１．８５３ｍｍ、横２．４６８ｍｍである。この有効領域７ａには、被撮像物体側において、指が載置された光学窓２の縦２７ｍｍ、横３６ｍｍの領域の画像が結像される。また有効領域７ａは、図６でも示したように、像高２．８９１ｍｍまでの部分を利用している。
【００６２】
すなわち、撮像ユニット１００の光学系は斜め結像光学系となっており、これにより撮像ユニット１００全体の薄型化を実現している。
【００６３】
以上説明したように、本実施形態によれば、複数のミラーを用いた折り返し光学系を用いることで、撮像ユニット１００の小型化、薄型化を実現するとともに、十分に広い認証エリアを確保することができる。また、良好な結像性能を有するレンズ部６を用いることで、認証精度を向上させることもできる。また、撮像ユニット１００の光学系が照明系（光源１）を含めて１ユニットで構成されるため、例えばノート型ＰＣ等の電子機器に容易に組み込むことができる。
【００６４】
本発明は上述の実施形態にのみ限定されるものではなく、本発明の要旨を逸脱しない範囲内において種々変更を加え得ることは勿論である。
【００６５】
上記実施形態においては、光学窓２は平面板状に形成されていたが、この形状に限られるものではない。図８は、本発明の他の実施形態における撮像ユニット１１０の構成を示した略式断面図である。同図においては、光学窓２を非球面凹面レンズとし、凹面が光源１側を向くように配置している。このように構成することで、光学窓２の下面２ｂに入射する赤外光の入射角と臨界角との差を大きくして、より多くの赤外光を取り込むことができる。
【００６６】
上記実施形態においては、第１ミラーを非球面ミラーとしたが、第１ミラーは球面ミラーまたは平面ミラーとしても構わない。
【００６７】
上記実施形態において、光学窓２に、上記所定波長の赤外光を透過する赤外透過フィルターを設けても構わない。また、上記実施形態の各ミラーには金属反射膜を施していたが、金属反射膜の代わりに、例えば上記特定波長の赤外光を選択的に反射する誘電体膜を有するダイクロイックミラーを設けても構わない。これらにより、赤外光以外の自然光等の外乱光の影響を少なくすることができる。
【００６８】
上記実施形態における撮像ユニット１００は、例えばノート型ＰＣやＰＤＡ、携帯電話機等、様々な電子機器に搭載することが可能である。図９は、上記撮像ユニット１００を、電子機器として例えばノート型ＰＣ２００へ搭載した様子を示した図である。同図に示すように、ノート型ＰＣ２００は、表示部２０３を有する第１の筐体２０１と、キーボード２０３を有する第２の筐体２０２とが回動可能に連結されて構成される。撮像ユニット１００は、第２の筐体２０２のパームレスト部２０２ａに上記光学窓２が露出するように設けられる。光学窓２の大きさは、上述したように例えば縦（ｌ）が３６ｍｍ、横（ｗ）が２７ｍｍである。また第２の筐体２０２の厚さ（ｈ）は例えば１０ｍｍである。ユーザは当該光学窓２の縦の辺と指が平行になるように指を光学窓２に載置する。ノート型ＰＣ２００のＣＰＵ（Central Processing Unit）等の制御部（図示せず）は、撮像素子７に結像された静脈パターン画像と、予め記憶装置（図示せず）に記憶してある認証用画像とをパターンマッチング処理により照合することで、ユーザ認証を行う。認証時には、例えば認証手順や認証結果等を示す画面が表示部２０３に表示される。このように、撮像ユニット１００は例えば厚さ１０ｍｍという薄型の筐体を有する電子機器に搭載可能である。
【００６９】
上述の実施形態においては、本発明を指静脈認証に適用した例を示したが、撮像ユニット１００の各構成を拡大することで、本発明を手のひら静脈認証に適用することも可能である。
【図面の簡単な説明】
【００７０】
【図１】本発明の一実施形態における撮像ユニット１００の構成を示す略式断面図である。
【図２】図１のレンズ部６及び撮像素子７の詳細を示した断面図である。
【図３】本発明の一実施形態における撮像ユニット１００の光学的解像度を示した図である。
【図４】本発明の一実施形態におけるレンズ部６の諸収差特性を示した図である。
【図５】本発明の一実施形態における撮像ユニット１００における像高とＭＴＦ値との関係を示した図である。
【図６】本発明の一実施形態における光源１の設置位置と、レンズ部６の光量及び光源１の光量との関係を示した図である。
【図７】本発明の一実施形態におけるレンズ部６の有効像円と撮像素子７との位置関係、及び指の視野範囲を示した図である。
【図８】本発明の他の実施形態に係る撮像ユニット１１０の構成を示した略式断面図である。
【図９】本発明の別の実施形態に係る、撮像ユニット１００を搭載したノート型ＰＣ２００を示した図である。
【符号の説明】
【００７１】
１…光源
２…光学窓
２ａ…上面
２ｂ…下面
３…非球面ミラー
４、５…平面ミラー
６…レンズ部
７…撮像素子
７ａ…有効領域
２１…第１レンズ
２２…第２レンズ
２３…第３レンズ
２４…第４レンズ
２５…カバーガラス
１００、１１０…撮像ユニット
２００…ノート型ＰＣ
【図１】
2008036226.tif 000003
【図２】
2008036226.tif 000004
【図３】
2008036226.tif 000005
【図４】
2008036226.tif 000006
【図５】
2008036226.tif 000007
【図６】
2008036226.tif 000008
【図７】
2008036226.tif 000009
【図８】
2008036226.tif 000010
【図９】
2008036226.tif 000011